(57)【特許請求の範囲】
【請求項１】
断面略Ｌ字形の矩形枠からなり、外側面にアンカーが固定される側壁部と、該側壁部の下端から内方へ突出する蓋受部とからなる受枠を固定するためのコンクリート施工用装置であって、
固化前のコンクリートを支持する水平支持基材に立設され、前記アンカーを高さ調整可能に固着して前記受枠を所定の高さに支持する固定治具と、
該水平支持基材の上に設置され、該固定治具に支持された該受枠の内側に配設され、該受枠の外側に打込まれたコンクリートを遮断してハッチの入口内周面を規定する型枠部と、
互いに直角に交差して該型枠部に載置され、両端を該型枠部から外方に突出して前記受枠の前記側壁部を内側から支える受枠支持突部と、該型枠部の内側に当接するように径方向に突出する型枠支持突部とを有する支持杆と、
を備えることを特徴とするコンクリート施工用装置。
【請求項２】
前記型枠の上端の一辺の中央には支持杆を載置するための切欠きが設けられていることを特徴とする請求項１記載のコンクリート施工用装置。
【請求項３】
前記支持杆は交差部分で互いに嵌合しあう嵌合凹部が設けられていることを特徴とする請求項１又は２記載のコンクリート施工用装置。
【発明の詳細な説明】
【技術分野】
【０００１】
本発明は、屋内やベランダや玄関先等の屋外に設けられる各種点検口等に使用される受枠の施工時に用いられるコンクリート施工用装置に関する。
【背景技術】
【０００２】
屋内やベランダや玄関先等の点検口等には、コンクリートに受枠が設けられている。この受枠をコンクリートに固定するための施工装置として、図５及び図６に示すような、コンクリート施工用装置が知られている(特許文献１)。この装置は、受枠１０１をコンパネ１０２上の所定の高さで保持し、コンクリートの打ち込みによって受枠１０１をハッチ周縁上端に取り付けるためのものである。
【０００３】
このコンクリート施工用装置で施工するためには、まず、コンパネ１０２上に設置場所を規定するための墨出しをする。そして、固定治具１０３をけがきされた所定位置に釘等で固定する。次に、固定治具１０３に受枠１０１を所定の高さで水平に組み付ける。型枠１０４を受枠１０１の内側の所定位置に載置し、型枠１０４のコーナー8箇所をコーナー金具１０５で補強するとともにコンパネ１０２に釘で固定する。さらに、受枠１０１と型枠１０４の隙間に補強材１０７を挿入する。
【０００４】
こうして受枠１０１及び型枠１０４を所定の位置にセットしてから、受枠１０１の外側からコンクリートが打ち込まれる。コンクリートが固化した後、型枠１０４を外し、コンクリート表面に樹脂タイル等の床仕上材が敷設される。また、受枠１０１には、図示しないハッチ蓋が被着される。こうして、受枠１０１の施工が完了する。
【０００５】
このコンクリート施工用装置によれば、受枠１０１を所定の位置に固定しながら、一度のコンクリートの打ち込みによって、受枠１０１をコンクリートに固定することができる。このため、工期を大幅に短縮することができる。また、型枠１０４がコーナー金具１０５で補強されているため、コンクリートの打ち込みの際、コンクリートからの圧力によって型枠１０４が変形するのを防止できるため、ハッチを所望の形状とすることができる。さらには、受枠１０１と型枠１０４の隙間に補強材１０７が挿入されているため、受枠１０１の変形も防ぐことができる。
【０００６】
【特許文献１】特開平７−９１０６３号公報
【発明の開示】
【発明が解決しようとする課題】
【０００７】
しかし、上記従来の受枠を固定するためのコンクリート施工用装置では、型枠１０４の補強にコーナー金具１０６を用いるため、コーナー金具１０６の取り付けに手間がかかる。また、型枠１０４と受枠１０１と位置関係がずれることにより、型枠１０４と受枠１０１との間に隙間ができたり、補強材１０７が入らなかったりするおそれがあり、このため、受枠１０１の補強材１０７による補強が不十分となるおそれがあった。
【０００８】
本発明は、上記従来の実情に鑑みてなされたものであって、受枠の施工時において、受枠及び型枠の変形を防止するとともに巾決めを容易に行うことができ、短時間で施工を完了することが可能なコンクリート施工用装置を提供することを解決すべき課題としている。
【課題を解決するための手段】
【０００９】
本発明のコンクリート施工用装置は、断面略Ｌ字形の矩形枠からなり、外側面にアンカーが固定される側壁部と、該側壁部の下端から内方へ突出する蓋受部とからなる受枠を固定するためのコンクリート施工用装置であって、
固化前のコンクリートを支持する水平支持基材に立設され、前記アンカーを高さ調整可能に固着して前記受枠を所定の高さに支持する固定治具と、
該水平支持基材の上に設置され、該固定治具に支持された該受枠の内側に配設され、該受枠の外側に打込まれたコンクリートを遮断してハッチの入口内周面を規定する型枠部と、
互いに直角に交差して該型枠部に載置され、両端を該型枠部から外方に突出して前記受枠の前記側壁部を内側から支える受枠支持突部と、該型枠部の内側に当接するように径方向に突出する型枠支持突部とを有する支持杆と、
を備えることを特徴とする。
【００１０】
本発明のコンクリート施工用装置では、受枠の内側に型枠部が設置され、さらに受枠が固定治具で所望の高さに固定される。そして、型枠部に支持杆が互いに直角に交差するように載置される。ここで、支持杆には型枠部の内側に当接するように径方向に突出する型枠支持突部が設けられているため、型枠支持突部を型枠内側に当接させながら載置させることにより、支持杆を容易かつ正確に所定の位置に載置することができると同時に、支持杆の受枠支持突部の先端が、自動的に受枠の内面の位置となる。このため、コンクリートを打ち込む際、型枠支持突部が型枠を内側から支え、受枠支持突部が受枠を内側から支えることにより、型枠や受枠が、打ち込まれたコンクリートの圧力によって変形するのを防止することができる。
【００１１】
したがって、本発明のコンクリート施工用装置によれば、受枠の施工時において、受枠及び型枠の変形を防止するとともに巾決めを容易に行うことができ、短時間で施工を完了することができる。
【００１２】
前記型枠の上端の一辺の中央には支持杆を載置するための切欠きが設けられていることが好ましい。こうであれば、支持杆を所定位置に載置することが容易となるとともに、支持杆が幅方向にずれることを防止できる。
【００１３】
また、前記支持杆は交差部分で互いに嵌合しあう嵌合凹部が設けられていることも好ましい。こうであれば、施工において一方の支持杆を型枠の所定の位置に載置した後、他方の支持杆を嵌合凹部に嵌めることによって、お互いの干渉を防ぐことができるとともに、機械的強度を高めることができる。
【００１４】
なお、互いに直角に交差する支持杆は１本づつ縦横の計2本でもよいが、縦及び／又は横を複数本とすることもできる。このようにすれば、受枠の補強強度をさらに高めることができる。
【発明を実施するための最良の形態】
【００１５】
以下、本発明を具体化した実施例のコンクリート施工用装置について図面を参照しつつ詳述する。
【００１６】
（実施例)
実施例のコンクリート施工用装置は、図２に示すように、受枠２を所定の位置に固定しており、コンクリートを打ち込むことによって、受枠２で規定される正方形の出入り口を形成するためのものである。このコンクリート施工用装置は、図１にも示すように、受枠２の内側に配設された正方形の四角筒形状の型枠３と、互いに直角に交差して型枠３の上に載置された２本の支持杆４と、受枠２を所定の高さに支持する固定治具５とから構成されている。
【００１７】
型枠３は亜鉛めっき鋼板製からなり、Ｌ字形状に屈曲された４つのＬ字部材３ａ、３ｂ、３ｃ、３ｄが組み合わされている。Ｌ字部材３ａ、３ｂ、３ｃ、３ｄが重なる部分には、水平方向に長くされた孔３ｈが垂直方向に3箇所開けられており、蝶ネジ３ｅが挿通されて固定されている。型枠３の上端各辺の中央部には、矩形の切欠き３ｆが設けられている。型枠３の下端にはＬ字金具３ｇが溶接されており、Ｌ字金具３ｇは釘３ｉによって水平支持基材としてのコンパネ６に固定されている。
【００１８】
図３に示すように、２本の支持杆４は同一形状をなしており、断面がコ字形状の長尺部材４ａと、長尺部材４ａの両端から少し内側で溶接によって背中合わせに固定されたL字形状の型枠支持突部４ｂとからなる。長尺部材４ａの両端は型枠支持突部４ｂから長さ方向に突出して受枠支持突部４ｃとされている。長尺部材４ａの開口側の中央には切欠き４ｄが設けられており、２本の支持杆４は互いに切欠き４ｄどうしを対面させるようにして十字状に嵌合されている。
【００１９】
図４に示すように、受枠２は断面が略Ｌ字形状とされており、垂直方向に延在する側壁部２ａと、側壁部２ａの下端から内方へ突出し、型枠３に当接する蓋受部２ｂとを有している。側壁部２ａの外側には、固定治具５に固定されるアンカー２ｃがネジ２ｄによって一片に２箇所固定されている。
【００２０】
固定部材５は、袴状に広がる複数の支柱で支えられた台座５ｃと、台座５ｃの中央に形成された雌ネジ５ｄに螺合されたボルト５ｅと、ボルト５ｅの先端に螺合されたナット５ｆ、５ｇとからなる。側壁部２ａにネジ止めされたアンカー２ｃの下端には孔２ｅが開けられており、孔２ｅにボルト５ｅが挿通されナット５ｆ、５ｇで所定の高さに調節されて固定されている。台座５ｃは、コンパネ６に釘７で固定されている。
【００２１】
＜施工方法＞
次に、以上のように構成されたコンクリート施工用装置を用いた、受枠２の施工方法について説明する。まず、図４に示す受枠２にアンカー２ｃをネジ２ｄによって所定の位置に固定しておく。そして、コンパネ６上に、設置場所を規定するための墨出しをしておく。次に、固定治具５をけがきされた所定位置に載置し、釘７で固定する。さらに、固定治具５のボルト５ｅにナット５ｇを螺合させた後、アンカー２ｃの孔２ｅをボルト５ｅに挿通させ、さらにナット５ｆを螺合させる。そして、ナット５ｇとナット５ｆによってアンカー２ｃの取り付け位置を調節することにより、受枠２を所定の高さで水平に固定する。そして、型枠３をけがきされた所定位置に載置し、L字金具３ｇで固定する。さらに、支持杆４の型枠支持突部４ｂを型枠３の内側に当接させつつ、受枠支持突部４ｃを型枠３の切欠き３ｆに載置する。
【００２２】
こうして受枠２及び型枠３を図１及び図２に示す所定の位置にセットしてから、受枠２の外側からコンクリートを打ち込む。コンクリートが固化した後、型枠３の蝶ネジ３ｃを外し、Ｌ字部材３ａ、３ｂ、３ｃ、３ｄを外す。その表面に樹脂タイル等の床仕上材が敷設され、さらに図示しないハッチ蓋が被着される。こうして、受枠２の施工が完了する。
【００２３】
この、コンクリート施工用装置によれば、支持杆４には型枠３の内側に当接するように径方向に突出する型枠支持突部４ｃが設けられているため、型枠支持突部４ｃを型枠３の内側に当接させながら載置させることにより、支持杆４を容易かつ正確に所定の位置に載置することができると同時に、支持杆４の受枠支持突部４ｃの先端が、自動的に受枠２の内面の位置となる。このため、コンクリートを打ち込む際、型枠支持突部４ｃが型枠３を内側から支え、受枠支持突部４ｃが受枠２を内側から支えることにより、型枠２や受枠３が、打ち込まれたコンクリートの圧力によって変形するのを防止することができる。
【００２４】
また、図３に示すように、支持杆４は交差部分で互いに嵌合しあう嵌合凹部４ｄが設けられているため、施工において一方の支持杆４を型枠３の所定の位置に載置した後、他方の支持杆４を嵌合凹部４ｄに嵌めることによって、お互いの干渉を防ぐことができるとともに、機械的強度を高めることができる。
【００２５】
この発明は、上記発明の実施例の説明に何ら限定されるものではない。特許請求の範囲の記載を逸脱せず、当業者が容易に想到できる範囲で種々の変形態様もこの発明に含まれる。
【図面の簡単な説明】
【００２６】
【図１】実施例のコンクリート施工用装置の施工状態を示す平面図である。
【図２】実施例のコンクリート施工用装置の施工状態を示す断面図である。
【図３】支持杆の斜視図である。
【図４】実施例のコンクリート施工用装置の施工状態を示す一部断面図である。
【図５】従来のコンクリート施工用装置の施工状態を示す平面図である。
【図６】従来のコンクリート施工用装置の施工状態を示す断面図である。
【符号の説明】
【００２７】
２ｃ…アンカー
２ａ…側壁部
２ｂ…蓋受部
２…受枠
６…コンパネ（水平支持基材）
５…固定治具
３…型枠（型枠部）
４…支持杆
４ｃ…受枠支持突部
４ｂ…型枠支持突部
４ｄ…嵌合凹部
【図１】
0005090220.tif 000002
【図２】
0005090220.tif 000003
【図３】
0005090220.tif 000004
【図４】
0005090220.tif 000005
【図５】
0005090220.tif 000006
【図６】
0005090220.tif 000007